【手続補正書】
【提出日】平成27年6月19日(2015.6.19)
【手続補正１】
【補正対象書類名】明細書
【補正対象項目名】発明の名称
【補正方法】変更
【補正の内容】
【発明の名称】情報処置装置、車載機器、および処理方法
【手続補正２】
【補正対象書類名】明細書
【補正対象項目名】０００１
【補正方法】変更
【補正の内容】
【０００１】
本発明は、情報処理装置、車載機器、および処理方法に関する。
【手続補正３】
【補正対象書類名】明細書
【補正対象項目名】０００５
【補正方法】変更
【補正の内容】
【０００５】
本発明は、利用者の移動軌跡を適切に処理することのできる情報処理装置、車載機器、および処理方法を提供することを目的とする。
【手続補正４】
【補正対象書類名】明細書
【補正対象項目名】０００６
【補正方法】変更
【補正の内容】
【０００６】
上記目的を達成するため、本発明の第１の観点に係る情報処理装置は、
車載機器及び携帯端末の位置情報を取得する取得部と、
前記車載機器を搭載する移動体の動作を検知する検知部と、
前記検知部が前記移動体の動作を検知したときは前記車載機器の位置情報を取得し、前記検知部が前記移動体の動作を検知していないときは前記携帯端末の位置情報を取得する処理部と、
前記検知部が前記移動体の動作を検知したときは、前記携帯端末に対して位置情報の出力停止指示を行う指示部と、
を備えることを特徴とする。
【手続補正５】
【補正対象書類名】明細書
【補正対象項目名】０００７
【補正方法】変更
【補正の内容】
【０００７】
前記検知部は、前記移動体の移動開始および移動終了を検知し、
前記処理部は、前記検知部が検知した前記移動体の移動開始から移動終了までは前記車載機器の位置情報を取得し、前記検知部が前記移動体の移動終了を検知した後は前記携帯端末の位置情報を取得してもよい。
【手続補正６】
【補正対象書類名】明細書
【補正対象項目名】０００８
【補正方法】変更
【補正の内容】
【０００８】
前記検知部は、前記車載機器と前記携帯端末間の通信可否を検知し、
前記処理部は、前記車載機器と前記携帯端末間の通信が可能である場合は前記車載機器の位置情報を取得し、前記車載機器と前記携帯端末間の通信が不可である場合は前記携帯端末の位置情報を取得してもよい。
【手続補正７】
【補正対象書類名】明細書
【補正対象項目名】０００９
【補正方法】変更
【補正の内容】
【０００９】
前記処理部は、取得する位置情報が前記車載機器の位置情報から前記携帯端末の位置情報に切り替わったとき、前記車載機器の位置情報に基づいて、前記携帯端末の位置情報を補正してもよい。
【手続補正８】
【補正対象書類名】明細書
【補正対象項目名】００１０
【補正方法】変更
【補正の内容】
【００１０】
上記目的を達成するため、本発明の第２の観点に係る車載機器は、
位置情報を取得する取得部と、
搭載されている移動体の動作を検知する検知部と、
前記検知部が前記移動体の動作を検知したときは、前記取得部が取得した位置情報を所定の情報処理装置に送信する送信部と、
位置情報を前記所定の情報処理装置に送信可能な携帯端末との接続を確立する接続部と、
前記検知部が前記移動体の動作を検知したときは、前記接続部を介して前記携帯端末に対して前記携帯端末の位置情報を前記所定の情報処理装置に送信しないように指示する指示部と、
を備えることを特徴とする。
前記検知部は、前記移動体の移動開始および移動終了を検知し、
前記送信部は、前記検知部が検知した前記移動体の移動開始から移動終了までは前記取得部が取得した位置情報を前記所定の情報処理装置に送信し、
前記指示部は、前記検知部が前記移動体の移動終了を検知した後は前記携帯端末に前記携帯端末の位置情報を前記情報処理装置に送信させるようにしてもい。
【手続補正９】
【補正対象書類名】明細書
【補正対象項目名】００１１
【補正方法】変更
【補正の内容】
【００１１】
上記目的を達成するため、本発明の第３の観点に係る処理方法は、
車載機器及び携帯端末の位置情報を取得する取得ステップと、
前記車載機器を搭載する移動体の動作を検知する検知ステップと、
前記検知ステップにおいて前記移動体の動作を検知したときは前記車載機器の位置情報を取得し、前記検知ステップにおいて前記移動体の動作を検知していないときは前記携帯端末の位置情報を取得する処理ステップと、
前記検知ステップにおいて前記移動体の動作を検知したときは、前記携帯端末に対して位置情報の出力停止指示を行う指示ステップと、
を備えることを特徴とする。
【手続補正１０】
【補正対象書類名】明細書
【補正対象項目名】００１２
【補正方法】変更
【補正の内容】
【００１２】
上記目的を達成するため、本発明の第４の観点に係る処理方法は、
位置情報を取得する取得ステップと、
搭載されている移動体の動作を検知する検知ステップと、
前記検知ステップにおいて前記移動体の動作を検知したときは、前記取得ステップにおいて取得した位置情報を所定の情報処理装置に送信する送信ステップと、
位置情報を前記所定の情報処理装置に送信可能な携帯端末との接続を確立する接続ステップと、
前記検知ステップにおいて前記移動体の動作を検知したときは、前記携帯端末に対して前記携帯端末の位置情報を前記所定の情報処理装置に送信しないように指示する指示ステップと、
を備えることを特徴とする。
【手続補正１１】
【補正対象書類名】特許請求の範囲
【補正対象項目名】全文
【補正方法】変更
【補正の内容】
【特許請求の範囲】
【請求項１】
車載機器及び携帯端末の位置情報を取得する取得部と、
前記車載機器を搭載する移動体の動作を検知する検知部と、
前記検知部が前記移動体の動作を検知したときは前記車載機器の位置情報を取得し、前記検知部が前記移動体の動作を検知していないときは前記携帯端末の位置情報を取得する処理部と、
前記検知部が前記移動体の動作を検知したときは、前記携帯端末に対して位置情報の出力停止指示を行う指示部と、
を備えることを特徴とする情報処理装置。
【請求項２】
前記検知部は、前記移動体の移動開始および移動終了を検知し、
前記処理部は、前記検知部が検知した前記移動体の移動開始から移動終了までは前記車載機器の位置情報を取得し、前記検知部が前記移動体の移動終了を検知した後は前記携帯端末の位置情報を取得する、
請求項１に記載の情報処理装置。
【請求項３】
前記検知部は、前記車載機器と前記携帯端末間の通信可否を検知し、
前記処理部は、前記車載機器と前記携帯端末間の通信が可能である場合は前記車載機器の位置情報を取得し、前記車載機器と前記携帯端末間の通信が不可である場合は前記携帯端末の位置情報を取得する、
請求項１に記載の情報処理装置。
【請求項４】
前記処理部は、取得する位置情報が前記車載機器の位置情報から前記携帯端末の位置情報に切り替わったとき、前記車載機器の位置情報に基づいて、前記携帯端末の位置情報を補正する、
請求項１から３のいずれか１項に記載の情報処理装置。
【請求項５】
位置情報を取得する取得部と、
搭載されている移動体の動作を検知する検知部と、
前記検知部が前記移動体の動作を検知したときは、前記取得部が取得した位置情報を所定の情報処理装置に送信する送信部と、
位置情報を前記所定の情報処理装置に送信可能な携帯端末との接続を確立する接続部と、
前記検知部が前記移動体の動作を検知したときは、前記接続部を介して前記携帯端末に対して前記携帯端末の位置情報を前記所定の情報処理装置に送信しないように指示する指示部と、
を備えることを特徴とする車載機器。
【請求項６】
前記検知部は、前記移動体の移動開始および移動終了を検知し、
前記送信部は、前記検知部が検知した前記移動体の移動開始から移動終了までは前記取得部が取得した位置情報を前記所定の情報処理装置に送信し、
前記指示部は、前記検知部が前記移動体の移動終了を検知した後は前記携帯端末に前記携帯端末の位置情報を前記情報処理装置に送信させる、
請求項５に記載の車載機器。
【請求項７】
車載機器及び携帯端末の位置情報を取得する取得ステップと、
前記車載機器を搭載する移動体の動作を検知する検知ステップと、
前記検知ステップにおいて前記移動体の動作を検知したときは前記車載機器の位置情報を取得し、前記検知ステップにおいて前記移動体の動作を検知していないときは前記携帯端末の位置情報を取得する処理ステップと、
前記検知ステップにおいて前記移動体の動作を検知したときは、前記携帯端末に対して位置情報の出力停止指示を行う指示ステップと、
を備えることを特徴とする処理方法。
【請求項８】
位置情報を取得する取得ステップと、
搭載されている移動体の動作を検知する検知ステップと、
前記検知ステップにおいて前記移動体の動作を検知したときは、前記取得ステップにおいて取得した位置情報を所定の情報処理装置に送信する送信ステップと、
位置情報を前記所定の情報処理装置に送信可能な携帯端末との接続を確立する接続ステップと、
前記検知ステップにおいて前記移動体の動作を検知したときは、前記携帯端末に対して前記携帯端末の位置情報を前記所定の情報処理装置に送信しないように指示する指示ステップと、
を備えることを特徴とする処理方法。